【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
画像の表示と、外部からの光の受光を行う表示受光手段を備える表示装置において、
入力部に対する入力または前記表示受光手段の所定の領域に対する入力をトリガとして検出するトリガ検出手段と、
前記トリガ検出手段により検出される前記トリガに基づいて、前記表示受光手段での受光に基づく受光画像から、前記表示受光手段に近接している物体が映っている転写画像を生成する画像生成手段と、
前記画像生成手段により生成される前記転写画像に基づく表示画像を前記表示受光手段に表示させる表示制御手段と
を備える表示装置。
【請求項２】
前記入力部は、ボタンであり、
前記入力部に対する入力は、ユーザが前記ボタンを押すことまたは前記ボタンを押した後に離すことによりなされる入力である
請求項１に記載の表示装置。
【請求項３】
前記画像生成手段は、
前記トリガが検出されたときのフレームの前記受光画像、
前記トリガが検出されたときのフレームよりn（n＞0）フレーム前の前記受光画像、
前記トリガが検出されたときのフレームよりm（m＞0）フレーム後の前記受光画像、
前記トリガが検出されたときのフレームより前の所定数のフレームの前記受光画像を平均した画像、
前記トリガが検出されたときのフレームより前の所定数のフレームの前記受光画像を重み付け平均した画像、
前記トリガが検出されたときのフレームより後の所定数のフレームの前記受光画像を平均した画像、
前記トリガが検出されたときのフレームより後の所定数のフレームの前記受光画像を重み付け平均した画像、
前記トリガが検出されたときのフレームを含む所定数のフレームの前記受光画像を平均した画像、
または、前記トリガが検出されたときのフレームを含む所定数のフレームの前記受光画像を重み付け平均した画像
である処理画像から、前記転写画像を生成する
請求項１に記載の表示装置。
【請求項４】
前記画像生成手段は、
前記処理画像における前記物体が映っている物体部分のうちの面積が最大の前記物体部分のみ、
前記処理画像における前記物体が映っている物体部分のうちの面積が所定の閾値以上の前記物体部分のみ、
前記処理画像における前記物体が映っている物体部分のうちの面積が上位N個の前記物体部分のみ、
または、前記処理画像全体
を前記転写画像として抽出する
請求項３に記載の表示装置。
【請求項５】
前記表示制御手段は、前記転写画像の物体が映っている物体部分に対して、
任意の拡大率での拡大若しくは任意の縮小率での縮小、
任意の回転角での回転、
任意の位置への移動、
及び、左右方向の反転若しくは上下方向の反転
のうちの１つまたは複数を組み合せた画像処理を施して前記表示画像として前記表示受光手段に表示させる
請求項１に記載の表示装置。
【請求項６】
前記表示制御手段は、前記転写画像の物体が映っている物体部分に対して異なる前記画像処理を施して得られる複数の画像を合成して前記表示画像とする
請求項５に記載の表示装置。
【請求項７】
前記受光画像は、２値画像、グレー画像、またはカラー画像である
請求項１に記載の表示装置。
【請求項８】
前記表示受光手段は、前記物体に光を照射するとともに、前記物体で反射して戻ってくる光を受光する
請求項１に記載の表示装置。
【請求項９】
前記物体には、前記表示受光手段の受光しやすい周波数の光を反射しやすいものを用いる
請求項８に記載の表示装置。
【請求項１０】
前記表示受光手段は、赤外光を照射する
請求項８に記載の表示装置。
【請求項１１】
画像の表示と、外部からの光の受光を行う表示受光手段を備える表示装置の制御方法において、
入力部に対する入力または前記表示受光手段の所定の領域に対する入力をトリガとして検出するトリガ検出ステップと、
前記トリガ検出ステップの処理により検出される前記トリガに基づいて、前記表示受光手段での受光に基づく受光画像から、前記表示受光手段に近接している物体が映っている転写画像を生成する画像生成ステップと、
前記画像生成ステップの処理により生成される前記転写画像に基づく表示画像を前記表示受光手段に表示させる表示制御ステップと
を含む制御方法。
【請求項１２】
画像の表示と、外部からの光の受光を行う表示受光手段を備える表示装置の制御処理をコンピュータに実行させるプログラムであり、
入力部に対する入力または前記表示受光手段の所定の領域に対する入力をトリガとして検出するトリガ検出ステップと、
前記トリガ検出ステップの処理により検出される前記トリガに基づいて、前記表示受光手段での受光に基づく受光画像から、前記表示受光手段に近接している物体が映っている転写画像を生成する画像生成ステップと、
前記画像生成ステップの処理により生成される前記転写画像に基づく表示画像を前記表示受光手段に表示させる表示制御ステップと
を含む制御処理をコンピュータに実行させるプログラム。
【請求項１３】
外部からの光の受光を行う受光手段を備える入力装置において、
前記受光手段での受光に基づく受光画像であって、そのときのフレームと前記フレームに時間的に近いフレームの前記受光画像どうしの差分を示す差分値が所定の範囲になったことをトリガとして検出するトリガ検出手段と、
前記トリガ検出手段により検出される前記トリガに基づいて、前記受光画像から、前記受光手段に近接している物体が映っている転写画像を生成する画像生成手段と
を備える入力装置。
【請求項１４】
前記トリガ検出手段は、前記差分値がnフレーム連続して前記所定の範囲内になったことをトリガとして検出する
請求項１３に記載の入力装置。
【請求項１５】
前記画像生成手段は、
前記トリガが検出されたときのフレームの前記受光画像、
前記トリガが検出されたときのフレームよりn（n＞0）フレーム前の前記受光画像、
前記トリガが検出されたときのフレームよりm（m＞0）フレーム後の前記受光画像、
前記トリガが検出されたときのフレームより前の所定数のフレームの前記受光画像を平均した画像、
前記トリガが検出されたときのフレームより前の所定数のフレームの前記受光画像を重み付け平均した画像、
前記トリガが検出されたときのフレームより後の所定数のフレームの前記受光画像を平均した画像、
前記トリガが検出されたときのフレームより後の所定数のフレームの前記受光画像を重み付け平均した画像、
前記トリガが検出されたときのフレームを含む所定数のフレームの前記受光画像を平均した画像、
または、前記トリガが検出されたときのフレームを含む所定数のフレームの前記受光画像を重み付け平均した画像
である処理画像から、前記転写画像を生成する
請求項１３に記載の入力装置。
【請求項１６】
前記画像生成手段は、
前記処理画像における前記物体が映っている物体部分のうちの面積が最大の前記物体部分のみ、
前記処理画像における前記物体が映っている物体部分のうちの面積が所定の閾値以上の前記物体部分のみ、
前記処理画像における前記物体が映っている物体部分のうちの面積が上位N個の前記物体部分のみ、
または、前記処理画像全体
を前記転写画像として抽出する
請求項１５に記載の入力装置。
【請求項１７】
前記画像生成手段により生成される前記転写画像を記憶する記憶手段をさらに備える
請求項１３に記載の入力装置。
【請求項１８】
前記入力装置には、記憶装置が接続され、
前記画像生成手段により生成される前記転写画像を、前記記憶装置に送信する送信手段をさらに備え、
前記記憶装置は、前記入力装置の前記送信手段から送信された前記転写画像を受信して記憶する
請求項１３に記載の入力装置。
【請求項１９】
前記入力装置には、表示装置が接続され、
前記画像生成手段により生成される前記転写画像を、前記表示装置に送信する送信手段をさらに備え、
前記表示装置は、前記入力装置の前記送信手段から送信された前記転写画像を受信し、その前記転写画像に基づく表示画像を表示部に表示する
請求項１３に記載の入力装置。
【請求項２０】
前記画像生成手段により生成される前記転写画像に基づく表示画像を表示部に表示させる表示制御手段をさらに備える
請求項１３に記載の入力装置。
【請求項２１】
前記表示制御手段は、前記転写画像の物体が映っている物体部分に対して、
任意の拡大率での拡大若しくは任意の縮小率での縮小、
任意の回転角での回転、
任意の位置への移動、
及び、左右方向の反転若しくは上下方向の反転
のうちの１つまたは複数を組み合せた画像処理を施して前記表示画像として前記表示部に表示させる
請求項２０に記載の入力装置。
【請求項２２】
前記表示制御手段は、前記転写画像の物体が映っている物体部分に対して異なる前記画像処理を施して得られる複数の画像を合成して前記表示画像とする
請求項２１に記載の入力装置。
【請求項２３】
前記受光画像は、２値画像、グレー画像、またはカラー画像である
請求項１３に記載の入力装置。
【請求項２４】
前記画像生成手段は、前記転写画像を生成すると、その前記転写画像における前記物体が映っている物体部分を含む所定の大きさの部分に対応する部分の前記受光画像の画素値が所定の範囲になるまで、前記転写画像の生成を行わない
請求項１３に記載の入力装置。
【請求項２５】
前記表示受光手段は、前記物体に光を照射するとともに、前記物体で反射して戻ってくる光を受光する
請求項１３に記載の入力装置。
【請求項２６】
前記物体には、前記表示受光手段の受光しやすい周波数の光を反射しやすいものを用いる
請求項２５に記載の入力装置。
【請求項２７】
前記表示受光手段は、赤外光を照射する
請求項２５に記載の入力装置。
【請求項２８】
外部からの光の受光を行う受光手段を備える入力装置の制御方法において、
前記受光手段での受光に基づく受光画像であって、そのときのフレームと前記フレームに時間的に近いフレームの前記受光画像どうしの差分を示す差分値が所定の範囲になったことをトリガとして検出するトリガ検出ステップと、
前記トリガ検出ステップの処理により検出される前記トリガに基づいて、前記受光画像から、前記受光手段に近接している物体が映っている転写画像を生成する画像生成ステップと
を含む制御方法。
【請求項２９】
外部からの光の受光を行う受光手段を備える入力装置の制御処理をコンピュータに実行させるプログラムであり、
前記受光手段での受光に基づく受光画像であって、そのときのフレームと前記フレームに時間的に近いフレームの前記受光画像どうしの差分を示す差分値が所定の範囲になったことをトリガとして検出するトリガ検出ステップと、
前記トリガ検出ステップの処理により検出される前記トリガに基づいて、前記受光画像から、前記受光手段に近接している物体が映っている転写画像を生成する画像生成ステップと
を含む制御処理をコンピュータに実行させるプログラム。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】変更
【補正の内容】
【００２４】
本発明の第１及び第２の側面によれば、例えば、入出力ディスプレイに近接している物体が映っている転写画像をより鮮明な画像として生成することができる。